(57)【要約】【課題】包装面状物品の開封作業を容易にした包装シートを提供する。【解決手段】面状物品を包装するための包装シートであって、所定方向の一端を含む第１領域と、前記所定方向の他端を含む第２領域とを有し、前記面状物品が包装された状態で、前記第１領域は、第１折り線にて前記面状物品が載置される側に折り畳まれており、前記第２領域は、第２折り線にて前記面状物品が載置される側に折り畳まれ、前記他端と前記第２折り線との間の第３折り線にて外側に折り返されており、且つ前記第１領域の内側に配置されており、前記所定方向の両端は、それぞれ少なくとも部分的に露出しており、前記両端を把持して互いに反対方向に引っ張ることによって開封することができる。【選択図】図１
2019130215.tif 000002
【特許請求の範囲】
【請求項１】
面状物品を包装するための包装シートであって、
所定方向の一端を含む第１領域と、前記所定方向の他端を含む第２領域とを有し、
前記面状物品が包装された状態で、
前記第１領域は、第１折り線にて前記面状物品が載置される側に折り畳まれており、
前記第２領域は、第２折り線にて前記面状物品が載置される側に折り畳まれ、前記他端と前記第２折り線との間の第３折り線にて外側に折り返されており、且つ前記第１領域の内側に配置されており、
前記所定方向の両端は、それぞれ少なくとも部分的に露出しており、
前記両端を把持して互いに反対方向に引っ張ることによって開封することができる、包装シート。
【請求項２】
前記第１領域は、前記一端と前記第１折り線との間の第４折り線にて外側に折り返されている、請求項１に記載の包装シート。
【請求項３】
前記第２領域がポケットを備え、前記ポケットは、前記第２領域の前記折返しによって形成されている、請求項１又は２に記載の包装シート。
【請求項４】
前記第２領域は、前記他端から延在する延長領域を有し、前記延長領域を内側又は外側に折り返すことによってポケットが形成されている、請求項１又は２に記載の包装シート。
【請求項５】
請求項１から４のいずれか一項に記載の包装シートと、当該包装シートによって包装された面状物品とを備えた、包装面状物品。
【請求項６】
請求項１から４のいずれか一項に記載の包装シートと、当該包装シートによって包装された吸収性物品とを備え、
前記吸収性物品は、透液性の表面シートと、不透液性の裏面シートと、前記表面シートと前記裏面シートとの間に設けられた吸収体とを備えた細長形状の本体を有する、包装吸収性物品。
【発明の詳細な説明】
【技術分野】
【０００１】
本発明は、包装シート、包装面状物品、及び包装吸収性物品に関する。
【背景技術】
【０００２】
従来、生理用ナプキン、パンティライナー、失禁パッドといった吸収性物品等の面状物品は、包装シートによって包装された状態で市場に提供されている。このような包装された状態の面状物品（包装面状物品ともいう）は、包装シート上に面状物品を載置し、包装シートの一端を含む領域と他端を含む領域とが上下に重なるように三つ折りに折り畳んで面状物品を包み、パウチテープで止められているものが多い（例えば、特許文献１の図２等）。
【先行技術文献】
【特許文献】
【０００３】
【特許文献１】特開２００６−２８０５２２号公報
【発明の概要】
【発明が解決しようとする課題】
【０００４】
しかしながら、特許文献１に記載されているような従来の包装形態では、包装面状物品を開封して面状物品全体が現れるようにするためには、まずパウチテープを引っ張って包装シートの上側（外側）の領域を広げ、次に下側（内側）の領域を広げるという２つのステップが必要である。そのため、従来の包装形態では、包装面状物品の開封作業を煩雑に感じる使用者も多い。
【０００５】
上記の点に鑑みて、本発明の一形態は、包装面状物品の開封作業を容易にした包装シートを提供することを課題とする。
【課題を解決するための手段】
【０００６】
本発明の第一の形態は、面状物品を包装するための包装シートであって、所定方向の一端を含む第１領域と、前記所定方向の他端を含む第２領域とを有し、前記面状物品が包装された状態で、前記第１領域は、第１折り線にて前記面状物品が載置される側に折り畳まれており、前記第２領域は、第２折り線にて前記面状物品が載置される側に折り畳まれ、前記他端と前記第２折り線との間の第３折り線にて外側に折り返されており、且つ前記第１領域の内側に配置されており、前記所定方向の両端は、それぞれ少なくとも部分的に露出しており、前記両端を把持して互いに反対方向に引っ張ることによって開封することができる。
【０００７】
上記第一の形態によれば、面状物品が包装された状態で、包装シートの所定方向の両端が少なくとも部分的に露出している。そのため、使用者は、包装シートの一端を一方の手で、他端を他方の手で把持することができる。そして、この両端を互いに反対側に引っ張ることによって、包装面状物品をワンタッチで（１ステップで）開封し、包装シートを一気に広げることができる。つまり、本形態によれば、包装シートの上側部分を広げ、その後に下側部分を広げるという従来の煩雑なステップは必要ではなく、開封作業は容易である。よって、面状物品の使用時には、包装面状物品を開封して、内部に収容されていた面状物品を簡単に出現させ、包装シートから取り出すことができる。
【０００８】
本発明の第二の形態では、前記第１領域は、前記一端と前記第１折り線との間の第４折り線にて外側に折り返されている。
【０００９】
上記第二の形態によれば、包装された状態で外側に配置される第１領域が、第４折り線にて外側に折り返されている。これにより、包装シートの一端（第１領域側の端）を把持しやすくなるので、包装面状物品の開封がより容易となる。
【００１０】
本発明の第三の形態では、前記第２領域がポケットを備え、前記ポケットは、前記第２領域の前記折返しによって形成されている。
【００１１】
上記第三の形態によれば、第２領域がポケットを備えていることで、包装面状物品を開封して面状物品を取出した後、包装シートを袋として利用することができる。また、このポケットは、第２領域が折り返された部分を利用したものであるので、ポケット形成のための手間及びコストを低減することができる。
【００１２】
本発明の第四の形態では、前記第２領域は、前記他端から延在する延長領域を有し、前記延長領域を内側又は外側に折り返すことによってポケットが形成されている。
【００１３】
上記第四の形態によれば、第２領域がポケットを備えていることで、第三の形態と同様に、面状物品を取出した後に包装シートを袋として利用することができる。また、本形態では、ポケットを、第２領域の他端から延長された領域を折り返すことによって形成するため、包装シートの基本的な構成を変更することなく、ポケットを形成することができる。
【００１４】
本発明の第五の形態は、第一から第四のいずれかの形態による包装シートと、当該包装シートによって包装された面状物品とを備えた包装面状物品である。
【００１５】
上記第五の形態によれば、上記第一から第四のいずれかの形態と同様の効果を奏する包装面状物品を提供することができる。
【００１６】
本発明の第六の形態は、第一から第四のいずれかの形態による包装シートと、当該包装シートによって包装された吸収性物品とを備えた包装吸収性物品であって、前記吸収性物品は、透液性の表面シートと、不透液性の裏面シートと、前記表面シートと前記裏面シートとの間に設けられた吸収体とを備えた細長形状の本体を有する。
【００１７】
上記第六の形態によれば、上記第一から第四の形態のいずれかと同様の効果を奏する包装吸収性物品を提供することができる。
【発明の効果】
【００１８】
本発明の一形態によれば、包装面状物品の開封作業を容易にした包装シートを提供することができる。
【図面の簡単な説明】
【００１９】
【図１】本発明の一形態による包装吸収性物品１００を展開した図である。
【図２】包装吸収性物品１００を折り畳んでいる状態（展開している状態）を、図１のＩ−Ｉ線に沿った断面で見た図である。
【図３】包装吸収性物品１００が折り畳まれた状態を示す図である。
【図４】包装シート１０の変形例を示す図である。
【図５】包装シート１０の変形例を示す図である。
【図６】ポケットの使用について説明する図である。
【図７Ａ】包装シート１０の変形例を示す図である。
【図７Ｂ】図７Ａに示す包装シート１０が折り畳まれた状態を示す図である。
【図８Ａ】包装シート１０の変形例を示す図である。
【図８Ｂ】図８Ａ示す包装シート１０が折り畳まれた状態を示す図である。
【図９】折返し領域１１Ａ及び折返し領域１２Ａの変形例を示す図である。
【図１０】折返し領域１１Ａ及び折返し領域１２Ａの変形例を示す図である。
【図１１】本発明の一形態による包装吸収性物品２００を展開した図である。
【図１２】包装シート２１０を折り畳んでいる状態（展開している状態）を、図１１のＩＩ−ＩＩ線に沿った断面で見た図である。
【図１３】図１２に示す包装シート２１０の斜視図である。
【図１４】包装シート２１０を折り畳んでいる状態（展開している状態）の別の例を、図１１のＩＩ−ＩＩ線に沿った断面で見た図である。
【図１５】本発明の一形態による包装吸収性物品３００を展開した図である。
【図１６】包装吸収性物品３００が折り畳まれた状態を示す図である。
【発明を実施するための形態】
【００２０】
以下、図面を参照しながら、本発明の実施形態を詳説する。なお、各図面において、特に説明がない限り、同一の又は対応する構成については同一の符号を付して説明を省略する場合がある。
【００２１】
本形態による包装シートは、面状物品を包装して、収容するためのシートである。本形態による包装シートは、面状物品として生理用ナプキン、パンティライナー、失禁パッド等の吸収性物品を包装する包装シートとして、好適に用いることができる。よって、以下においては、主として、吸収性物品を包装する包装シート、及び包装吸収性物品について説明する。
【００２２】
図１に、包装シート１０に、吸収性物品１を載置した状態を上面から見た図を示す。この図１は、包装吸収性物品１００を展開した状態を示す図でもある。図示の形態では、包装シート１０は、長方形の細長形状を有しており、図１の第１方向Ｄ１が長手方向となっている。但し、包装シート１０の形状は細長形状に限られず、包装シート１０の第１方向Ｄ１長さと、この第１方向Ｄ１に直交する第２方向Ｄ２の長さとがほぼ同じである形状であってもよい。また、包装シート１０は、第１方向Ｄ１の長さが１０〜３９ｃｍ、好ましくは２０〜３２ｃｍであり、第２方向Ｄ２の長さが３〜１８ｃｍ、好ましくは１０〜１４ｃｍである寸法を有していてよい。
【００２３】
包装シート１０としては、ポリプロピレン、ポリエチレン等のポリオレフィン系フィルム、ポリエステル、ポリビニルアルコール等のフィルムや、不織布、ラミネート不織布（ポリラミ不織布を含む）、紙等を用いることができる。印刷によるデザイン等を重視するのであればフィルムが好ましく、風合いやソフト感等を重視するのであれば不織布等が好ましい。
【００２４】
吸収性物品１は、不透液性の裏面シート２と、透液性の表面シート３と、これらの両シート２、３間に設けられた吸収体４とを有する本体（吸収性物品本体）８とを備えている。図１の形態では、吸収性物品１は、上面視で、全体として第１方向Ｄ１に長い細長形状を有しているが、吸収性物品１の形状は、図示の細長形状に限られず、第１方向Ｄ１と、第１方向Ｄ１に直交する第２方向Ｄ２とがほぼ同じ長さである形状であってもよい。
【００２５】
また、図示の形態では、吸収性物品１は、長手方向（第１方向Ｄ１）に沿った中心線、及び幅方向（第２方向Ｄ２）に沿った中心線のいずれに対しても対称の形状を有しているが、長手方向又は幅方向のいずれかに対して非対称の形状であってもよい。その場合、吸収性物品１を包装シート１０に配置する場合の長手方向及び幅方向の向きは限定されない。
【００２６】
吸収性物品１の裏面シート２としては、ポリエチレンやポリプロピレン等のオレフィン系樹脂シート等の少なくとも遮水性を有するシート材を用いることができる。ポリエチレンシート等に不織布を積層したラミネート不織布や、防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００２７】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、融点の異なる合成繊維を組み合わせた複合繊維を用いることもできる。
【００２８】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（ｓｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。また、吸収体４には合成繊維を混合してもよい。
【００２９】
また、吸収性物品１には、表面シート３側から裏面シート２側へと窪む圧搾溝（フィットエンボスともいう）５が設けられていてもよい。
【００３０】
吸収性物品１の厚みは、１〜１０ｍｍの範囲内とすることができ、１〜４ｍｍの範囲であると好ましい。この厚みは吸収性物品１の全面にわたって均一でなくともよく、吸収体４の厚みを変えることで、本体８の第１方向Ｄ１の中央部分、また臀部の溝に対応する部分等を膨出させた構造とすることもできる。
【００３１】
図１に示すように、包装シート１０は、第１方向（長手方向）Ｄ１に一端１８及び他端１９を有する。そして、上記一端１８を含む第１領域１１と、上記他端１９を含む第２領域１２とを有する。包装シート１０によって吸収性物品１を包装する場合、第１領域１１及び第２領域１２を、それぞれ第１折り線２１及び第２折り線２２にて折ることができる。第１折り線２１及び第２折り線２２は谷折り線であり、これにより、第１折り線２１及び第２折り線２２はいずれも、吸収性物品１が載置された側に折ることができる。
【００３２】
図示の形態では、吸収性物品１は、第１折り線２１及び第２折り線２２を越える大きさを有している。そのため、上記のように包装シート１０を第１折り線２１及び第２折り線２２で折った場合、吸収性物品１も、第１折り線２１及び第２折り線２２に対応する位置で包装シート１０とともに折られる。なお、吸収性物品１は、第１折り線２１と第２折り線２２との間の第３領域１３内に収まる大きさであってもよく、その場合には、吸収性物品１は包装シート１０とともに折られることなく、包装シート１０によって包装される。
【００３３】
図示の形態では、吸収性物品１は、裏面シート３側が包装シート１０を向くように包装シート１０上に載置されているが、表面シート２側が包装シート１０を向くように包装シート上に載置されていてもよい。
【００３４】
図１に示すように、包装シート１０の第２領域１２には、山折りできる第３折り線２３が設けられていてよい。第３折り線２３を山折りすることによって、後述の折返し領域１２Ａと、非折返し領域１２Ｂとを形成することができる。また、第１領域１１には、山折りできる第４折り線２４が設けられていてよい。第４折り線２４を山折りすることによって、後述の折返し領域１１Ａと、非折返し領域１１Ｂとを形成することができる。なお、この第４折り線２４が形成された形態は、上述の第二の形態に該当する。
【００３５】
図２に、包装シート１０を折り畳んでいる途中の状態を、図１のＩ−Ｉ線に沿った断面で見た図を示す。図２は、開封している途中の包装吸収性物品１００を示す図でもある。図２に示すように、中央の第３領域１３の長手方向両側の第１領域１１及び第２領域１２が、それぞれ第１折り線２１及び第２折り線２２にて、吸収性物品１が載置されている側に折られている。
【００３６】
また、吸収性物品１が包装された状態で、第２領域１２は、第１領域１１より内側に配置されるようになっている。すなわち、第１領域１１と第２領域１２とが重ねられることによって、吸収性物品１が包装されている。
【００３７】
図２に示すように、第２領域１２は第３折り線２３にて折られ、折返し領域１２Ａと、折り返されていない非折返し領域１２Ｂとが形成されている。これにより、包装シート１０の他端１９が長手方向外側を向く。これにより、使用者は、当該他端１９を容易に把持することができる。さらに、第１領域１１も第４折り線にて折られ、折返し領域１１Ａと折り返されていない非折返し領域１１Ｂとが形成されている。これにより、包装シート１０の一端１８も長手方向外側を向くため、使用者は当該一端１８を容易に把持できる。
【００３８】
図３に、図１、２に示す包装シート１０が吸収性物品１とともに折り畳まれて、吸収性物品１が包装された状態となった包装吸収性物品１００を上面から見た図を示す。図３に示すように、包装吸収性物品１００においては、第１領域１１の折返し領域１１Ａ及び第２領域１２の折返し領域１２Ａがいずれも露出している。つまり、第１折り線２１は、他端１９に重ならないようになっている。これにより、包装シート１０の一端１８及び他端１９が露出した状態となっている。よって、開封時には、使用者は、一端１８及び両端１９の各端を、それぞれ左右の手で、例えば、各手の親指とそれ以外の指とで挟んで保持することができる。両端１８、１９を把持したら、例えば図３の矢印で示すように第１方向Ｄ１（長手方向）外側に、互いに引っ張ることによって包装吸収性物品１００を一気に開封することができる。そして、包装吸収性物品１００の開封とともに包装シート１０を展開することができ、収容されていた吸収性物品１を出現させることができる。このように、本形態では、従来のように、包装シートの上側の領域を広げ、場合によっては持ち替えて下側の領域を広げるといった煩雑な開封作業が不要となる。
【００３９】
また、本形態による包装吸収性物品１００は、内部に包装されている吸収性物品１に触れることなく開封することができる。よって、衛生面からも好ましい。さらに、包装シートの上側部分を掴み易くするために設けられるパウチテープも不要であるので、製造コストを低減させることができる。
【００４０】
図３に示すように、包装シート１０が折り畳まれた後、包装シート１０の第２方向Ｄ２の縁は、弱シール部３１によってシールすることができる。この弱シール部３１は開封可能に封止された部分、つまり、通常の開封作業によって使用者が剥がすことができる比較的弱く封止された部分である。弱シール部３１は、例えば、ヒートシールや超音波シール、接着剤等によって形成されていてよい。
【００４１】
上述のように、本形態による包装シート１０は３つ以上の折り線によって折られている。図３に示すような包装状態では、包装シート１０の縁において、積層されたシートの枚数が場所によって相違する。例えば、第１折り線２１に近接した領域では、第１領域１１の非折返し領域１１Ｂ及び第３領域１３の２枚のシートが積層される。しかし、第１領域１１の折返し領域１１Ａの下には、非折返し領域１１Ｂ、第２領域１２の折返し領域１２Ａ、第２領域１２の非折返し領域１２Ｂ、及び第３領域１３の５枚のシートが積層されることになる。よって、包装シート１０の第２方向Ｄ２の縁を、圧着ロールによりシールした場合、積層された枚数が多い領域は硬くなる傾向がある。よって、積層された枚数が少ない領域は、追加的に圧着を行う等してシールすることができる。また、積層された枚数が異なる領域ごとに、ロールの圧力を変えることができる。
【００４２】
なお、弱シール部３１が圧着によりシールされている場合には、図３に示すように、ドットや花柄等のモチーフ３３を形成してもよい。
【００４３】
吸収性物品１には、その裏面シート２側に、吸収性物品１の装着時にショーツ等に吸収性物品１を固定させるためのズレ止め材が設けられていてよい。ズレ止め材は、スチレン系ポリマー、粘着付与剤、可塑剤等を含む粘着性の層、或いはゴム等を含む非粘着性の層であってよい。
【００４４】
裏面シート２に粘着性のズレ止め材が設けられている場合、吸収性物品１を、図１に示すように裏面シート２側が包装シート１０を向くように包装シート１０上に載置することで、吸収性物品１と包装シート１０とを粘着させる（剥離可能に接着させる）ことができる。図示のように、包装シート１０を吸収性物品１とともに折り畳んで吸収性物品１を包装する形態においては、吸収性物品１と包装シート１０とが粘着されていれば、包装吸収性物品１００の開封時には、包装シート１０の展開に伴い、吸収性物品１を包装シート１０に追随して展開することができる。
【００４５】
吸収性物品１と包装シート１０とが粘着されている場合、包装シート１０の、少なくとも吸収性物品１のズレ止め材に対応する領域に離形処理を施しておくことができる。これにより、開封して包装シート１０を広げた後、吸収性物品１を包装シート１０から容易に剥がして取り出すことができる。また、吸収性物品１と包装シート１０との間に、少なくとも吸収性物品１のズレ止め材を覆って保護するための剥離シートを設けておき、剥離シートと包装シート１０とを剥離不能に接着させておくこともできる。
【００４６】
図３において、外側に被せられた第１領域１１の折返し領域１１Ａの第１方向Ｄ１の長さｄ１は、５〜４０ｍｍ程度であると好ましく、１０〜２５ｍｍ程度であるとより好ましい。また、第１領域１１の下側に配置される第２領域１２の折返し領域１２Ａが、包装状態で露出している部分の長さｄ２は、５〜４０ｍｍ程度であると好ましく、１０〜２５ｍｍ程度であるとより好ましい。これにより、包装シート１０の両端１８、１９を容易に把持することができる。なお、後述のように、折返し領域１１Ａの端縁の輪郭（一端１８の輪郭）が第２方向Ｄ２に平行な直線でない場合には、折返し領域１１Ａの第１方向Ｄ１の長さｄ１は、第２方向Ｄ２の中央における長さとすることができる。折返し領域１２Ａの第１方向Ｄ１の長さｄ２についても同様である。
【００４７】
図４及び図５に、図１〜３に示す包装吸収性物品１００の包装シート１０の変形例を示す。図４の形態では、第２領域１２がポケット３５を有している点で、図１〜３に示す包装シート１０と異なる。図４に示すように、包装シート１０の第２領域１２の折返し部１２Ａ及び非折返し部１２Ｂの側縁は、強シール部３２によってシールされていてよい。この強シール部３２は、通常の開封作業では剥離不能なシールである。強シール部３２は、弱シール部３１と同様に、ヒートシールや超音波シール、接着剤等によって形成することができる。剥離不能な強シール部３２によって第２領域１２の側縁が接着されていることで、開封して包装シート１０を展開した後、弱シール部３１は剥れるが、強シール部３２のシールは剥がれず維持される。これにより、折返し部１２Ａと非折返し部１２Ｂとによって袋状の空間が形成され、ポケットとなる。
【００４８】
図５の形態においても、第２領域１２の折返し領域１２Ａ及び非折返し領域１２Ｂの側縁が強シール部３２によってシールされていることによりポケット３５が形成されているが、折返し部１２Ａの側縁と非折返し部１２Ｂの側縁とが部分的に強シール部３２によってシールされていない点で、図４の形態と異なる。すなわち、図５に示すように、第２領域１２の端（折返し領域１２Ａの、第３折り線２３とは反対側の端）においては、折返し領域１２Ａと非折返し領域１２Ｂとが剥離不能に接着されておらず、弱シール部３１によって接着されている。そのため、包装シート１０を展開するために他端１９を掴んで引っ張る際、引っ張り始めの小さな力で第２領域１２の端が容易に剥がれる。よって、ポケット３５の構成を有しつつ、すなわち、包装シート１０の他端１９を容易に引っ張って、包装シート１０展開することができる。
【００４９】
図５に示すように、第２領域１２の折返し領域１２Ａの側縁に強シール部３２が形成されていない部分がある場合、強シール部３２がない部分は、折返し領域１２Ａの端縁（他端１９の縁）から５〜１５ｍｍ程度、好ましくは１０ｍｍ程度の部分であってよい。
【００５０】
上述のように、第２領域１２にポケット３５が形成される場合、第２領域１２の折返し領域１２Ａの長手方向（第１方向Ｄ１）の長さは２５ｍｍ以上、好ましくは３５ｍｍ以上とすることができる。その場合、折返し領域１２Ａの長手方向の長さは、非折返し領域１２Ｂの長手方向の長さを越えないことが好ましい。
【００５１】
図４及び図５に示す形態においては、第２領域１２の折返し領域１２Ａ及び非折返し領域１２Ｂの側縁が強シール部３２によって接着されていることから、包装吸収性物品の開封作業及び展開作業の後も、ポケット３５は壊れることなく保持される。よって、ポケット３５には、図６に示すように、例えば使用済みの吸収性物品１'を丸めて収容することができる。これにより、使用済みの吸収性物品１'の廃棄が容易となる。
【００５２】
図７Ａ及び図７Ｂに、包装吸収性物品１００（図１〜３）の包装シート１０の変形例を示す。図７Ａは、包装シート１０が展開された状態を上面から見た図であり、図７Ｂは、包装シート１０が折り畳まれ、吸収性物品１が包装された状態を上面から見た図である。本形態は、包装シート１０の第１領域１１の折返し領域１１Ａ、及び第２領域１２の折返し領域１２Ａの形状が三角形となっている点で、図１〜３に示す包装シート１０と相違する。本形態における折返し領域１１Ａ及び折返し領域１２Ａの三角形の形状は、長手方向（第２方向Ｄ１）に沿って延びる中心線に頂点を有する二等辺三角形となっているが、頂点の位置は長手方向中心線上になくてもよい。また、本形態では、折返し領域１１Ａ及び折返し領域１２Ａの両方が三角形の形状を有するが、折返し領域１１Ａ及び折返し領域１２Ａの少なくとも一方の形状を三角形とすることもできる。
【００５３】
図８Ａ及び図８Ｂには、包装吸収性物品１００（図１〜３）の包装シート１０の別の変形例を示す。図８Ａは、包装シート１０が展開された状態を上面から見た図であり、図８Ｂは、包装シート１０が折り畳まれ、吸収性物品１が包装された状態を上面から見た図である。本形態は、包装シート１０の第１領域１１の折返し領域１１Ａ、及び第２領域１２の折返し領域１２Ａの形状が部分円形である点で、図１〜３に示す包装シート１０と相違する。本形態では、折返し領域１１Ａ及び折返し領域１２Ａの両方が部分円の形状を有するが、折返し領域１１Ａ及び折返し領域１２Ａの少なくとも一方の形状を部分円形とすることもできる。
【００５４】
図７Ａ及び図７Ｂ並びに図８Ａ及び図８Ｂに示すように、包装シート１０の第１領域１１の折返し領域１１Ａ及び第２領域１２の折返し領域１２Ａが、第２方向Ｄ２の中央付近において第２方向Ｄ１の外側にそれぞれ突出するような形状を有していることで、開封時に包装シート１０の両端１８、１９を掴み易くなる。また、包装状態では包装シート１０の第２方向Ｄ２の縁は弱シール部３１によってシールされていてよいが、第１領域１１の折返し領域１１Ａ及び第２領域１２の折返し領域１２Ａの形状を三角形や部分円形とすることによって、折返し領域１１Ａ及び折返し領域１２Ａが弱シール部３１によってシールされる領域を小さくすることができる。そのため、包装シート１０をより容易に、より小さな力で展開することができる。
【００５５】
なお、折返し領域１１Ａ及び折返し領域１２Ａの形状は、長方形（図１）、三角形（図７Ａ及び図７Ｂ）、及び部分円形（図８Ａ及び図８Ｂ）に限られない。折返し領域１１Ａ及び折返し領域１２Ａの形状は、長方形以外の四角形、例えば正方形、台形、平行四辺形等であってもよいし、五角形、六角形等であってもよい。また、部分楕円形であってもよいし、輪郭が凹凸を有する波状の形状であってもよい。但し、折り畳んだ時に、第２方向Ｄ２の端からはみ出ない形状であることが好ましい。
【００５６】
また、第１領域１１における折返し領域１１Ａの、第４折り線２４側の端縁の第２方向Ｄ２の長さは、非折返し領域１１Ｂの、第４折り線２４側の端縁の第２方向Ｄ２の長さより短くすることもできる。第２領域１２における折返し領域１２Ａについても同様である。
【００５７】
図９に、包装シート１０のさらなる変形例を示す。図９に示す形態では、第１領域１１の折返し領域１１Ａ及び第２領域１２の折返し領域１２Ａがそれぞれ異なる色で色付けされている。色付けされていることにより、把持すべき端１８、１９が一目で分かり易く、使用者は迷わずに開封作業を行うことができる。なお、折返し領域１１Ａ及び折返し領域１２Ａの両方が色付けされていてもよいし、一方のみが色付けされていてもよい。例えば、折返し領域１１Ａを薄緑色、折返し領域１２Ａを薄青色等とすることができる。折返し領域１１Ａ（又は折返し領域１２Ａ）の一部のみが色付けされていてもよい。また、折返し領域１１Ａ及び折返し領域１２Ａには、図柄や文字が施されていてもよい。
【００５８】
図１０にも、包装シート１０の変形例を示す。図１０に示す形態では、第１領域１１の折返し領域１１Ａ及び第２領域１２の折返し領域１２Ａにはそれぞれ、第２方向Ｄ２の中央付近にエンボス部Ｅが形成されている。エンボス部Ｅが形成されていることで、剛性を高めることができために開封時に把持しやすくなり、また開封時に引っ張りによる損傷を防止することもできる。なお、図示のようなエンボス部Ｅに代えて、包装シート１０と同じ又は異なる材料のシート片を重ねて貼ることによって、把持される部分の強度を高めることもできる。
【００５９】
図１１に、本発明の一形態による包装シート２１０に、吸収性物品１を載置した状態を上面から見た図を示す。図１１は、包装吸収性物品２００を展開した状態を示す図でもある。図１１に示す包装シート２１０は、包装シート１００（図１）と同様に、第１方向Ｄ１を長手方向とする細長形状を有しており、長手方向の一端２１８を含む第１領域２１１、他端２１９を含む第２領域２１２、第１領域２１１と第２領域２１２との間にある第３領域２１３を有している。しかし、図１１に示す包装シート２１０は、第２領域２１２の長手方向外側に他端２１９から延在する延長領域２１４が設けられている点で、包装シート１０（図１）と異なる。
【００６０】
図１２に、包装シート２１０を折り畳んでいる途中の状態を、図１２のＩＩ−ＩＩ線に沿った断面で見た図を示す。図１２は、包装シート２１０を展開している途中の状態を示す図である。図１２に示すように、中央の第３領域２１３の長手方向両側の第１領域２１１及び第２領域２１２が、それぞれ第１折り線２２１及び第２折り線２２２にて、吸収性物品１とともに折られている。そして、第１領域２１１は、第２領域２１２より外側になるように、すなわち、図２において第２領域２１２より上側になるように折られている。また、第２領域２１２は、山折り線である第３折り線２２３で折られている。
【００６１】
本形態では、図１２に示すように、延長領域２１４は、谷折り線である第５折り線２２５で外側に折り返されている。これにより、開封時に把持される端２１９を２枚重ねで構成することができ、端２１９の強度を高めることができる。
【００６２】
さらに、折り返された延長領域２１４は、その内側（下側）の第２領域２１２の折返し領域２１２Ａとともに、ポケットを形成することができる。図１３に、延長領域２１４の折返しによって形成されたポケットを備えた包装シート２１０の斜視図を示す。図１３に示すように、重ねられた延長領域２１４及び折返し領域２１２Ａの側縁は、剥離不能な強シール部２３２によってシールされており、これにより、延長領域２１４と折返し領域２１２Ａとの間の空間をポケット２３５とすることができる。このポケット２３５の構造は、図４及び図５において説明した包装シート１０のポケット３５と同様、包装シート２１０を展開した後にも維持されるので、使用済みの吸収性物品等の収容に利用することができる（図６）。
【００６３】
図１４に、図１１に示す包装シート２１０の、図１２とは異なる折り畳み形式を示す。図１４は、図１２と同様に、包装シート２１０を折り畳んでいる途中の状態を、図１２のＩＩ−ＩＩ線に沿った断面で見た図である。図１２の形態では、延長領域２１４は、第５折り線２２５にて外側（上側）に折り返されていたが、図１４の形態では、第５折り線２２５にて内側（下側）に折り返されている。すなわち、延長領域２１４は、第２領域２１２の折返し領域２１２Ａの下に重ねられている。図１４の形態においても、重ねられた延長領域２１４と折返し領域２１２Ａの側縁を強シール部２３２によってシールすることで、ポケット２３５'を形成することができる。
【００６４】
図１５に、本発明の一形態による包装シート３１０に、吸収性物品１を載置した状態を上面から見た図を示す。図１５は、包装吸収性物品３００を展開した状態を示す図でもある。図１５に示す包装シート３１０は、包装シート１００（図１）と同様に、第１方向Ｄ１を長手方向とする細長形状を有しており、長手方向の一端３１８を含む第１領域３１１、他端３１９を含む第２領域３１２、第１領域３１１と第２領域３１２との間にある第３領域３１３を有している。但し、図１５の形態では、包装シート３１０の第１領域３１１に折り線が設けられていない、すなわち第１領域３１１が折返し領域を有さない点で、包装シート１０（図１）と異なる。
【００６５】
図１６に、図１５に示す包装シート３１０が吸収性物品１とともに折り畳まれた状態を上面から見た図を示す。図１６に示すように、包装吸収性物品３００では、包装シート３３１の一端３１８及び他端３１９が露出した状態となっている。但し、本形態の包装シート３１０では、包装シート１０（図１〜３）とは異なり、第１領域３１１には折返し領域が形成されていない。包装シート３１０の構成はより単純であり、製造上の手間も低減された構成である。
【００６６】
包装シート３１０を用いた包装吸収性物品３００を開封する場合には、包装シート３１０の一端３１８と他端３１９とを長手方向（第１方向Ｄ１）に互いに反対方向に引っ張ればよい。ここで、包装シート３１０の一端３１８を把持するには、第１領域３１１と、その直下にある第２領域３１２の折返し領域３１２Ａとの間に、例えば親指を差し入れ、親指と親指以外の指とで第１領域３１１を挟み、矢印で示すように第1領域３１１の縁を捲るようにしてから、包装シート３１０の両端３１８、３１９を互いに反対方向に引っ張ることができる。
【００６７】
以上、本発明の実施の形態として、面状物品が吸収性物品である形態について説明したが、面状物品は吸収性物品に限られない。本形態による包装シートは、例えば、板ガム等の板状の菓子、マスク等の衛生用品等を包装するためにも利用することができる。
【符号の説明】
【００６８】
１  吸収性物品
１'  使用済みの吸収性物品
２  裏面シート
３  表面シート
４  吸収体
５  圧搾溝（フィットエンボス）
８  本体（吸収性物品本体）
１０、２１０、３１０  包装シート
１１、２１１、３１１  第１領域
１１Ａ、２１１Ａ  第１領域の折返し部
１１Ｂ、２１１Ｂ  第１領域の非折返し部
１２、２１２、３１２  第２領域
１２Ａ、２１２Ａ、３１２Ａ  第２領域の折返し部
１２Ｂ、２１２Ｂ、３１２Ｂ  第２領域の非折返し部
１３、２１３、３１３  第３領域
１８、２１８、３１８  長手方向（Ｄ１）の一端
１９、２１９、３１９  長手方向（Ｄ１）の他端
２１、２２１、３２１  第１折り線
２２、２２２、３２２  第２折り線
２３、２２３、３２３  第３折り線
２４、２２４  第４折り線
３１、２３１、３３１  弱シール縁部
３２、２３２、３３２  強シール縁部
３５、２３５、２３５'  ポケット
１００、２００、３００  包装吸収性物品
２１４  延長領域
２２５  第５折り線
Ｄ１  長手方向
Ｄ２  短手方向（幅方向）
Ｅ  エンボス部
【図１】
2019130215.tif 000003
【図２】
2019130215.tif 000004
【図３】
2019130215.tif 000005
【図４】
2019130215.tif 000006
【図５】
2019130215.tif 000007
【図６】
2019130215.tif 000008
【図７Ａ】
2019130215.tif 000009
【図７Ｂ】
2019130215.tif 000010
【図８Ａ】
2019130215.tif 000011
【図８Ｂ】
2019130215.tif 000012
【図９】
2019130215.tif 000013
【図１０】
2019130215.tif 000014
【図１１】
2019130215.tif 000015
【図１２】
2019130215.tif 000016
【図１３】
2019130215.tif 000017
【図１４】
2019130215.tif 000018
【図１５】
2019130215.tif 000019
【図１６】
2019130215.tif 000020